(57)【要約】【課題】  シリンダ部の角度位置をかえて配置すると共に磁性体を使用して開閉を行う比較的簡便な構造でピッキング被害を防止するようにした磁力機構を有する防犯用錠前構造を提供する。【解決手段】  ドア６の内部に第１シリンダ部８とこれと角度違いに配置された第２シリンダ部９を設け、角度θだけ鍵５を回動しても鍵５の第１シリンダ部への進入をシャッタ２０によって防止すると共にロッド状磁力体２６や電磁石２７によりシャッタ２０の開閉を行う。【選択図】  図１
0003125780.tif 000002
【実用新案登録請求の範囲】
【請求項１】
鍵を用いて開閉され防犯用の磁力的機構を備える防犯用錠前構造であって、該構造は、取付対象部の内部に設けられる内側把持部と、前記取付対象部内に配設され出入ロック機構部を有する錠前本体部と、前記取付対象部の外側に設けられる外側把持部とからなり、該外側把持部には前記出入ロック機構部を作動するため第１シリンダ部と該第１シリンダ部と独立して作動される単一又は複数の第２シリンダ部とが収納され、前記第１シリンダ部及び第２シリンダ部には鍵に刻設される先雄鍵刃部及び基雄鍵刃部が係止又は噛合する係止機構部又は雌鍵刃部が角度θだけ相異する位置に形成され、前記第１シリンダ部の前面には該第１シリンダ部の前記係止機構部又は雌鍵刃部をほぼ閉止するシャッタが設けられ、該シャッタの近傍には手動又は自動操作によって磁場を発生する磁力発生部が形成されることを特徴とする磁力機構を有する防犯用錠前構造。
【考案の詳細な説明】
【技術分野】
【０００１】
本考案は、例えばドアのような取付対象部に取付けられ、ピッキング等の被害から解放される防犯用錠前構造に係り、特に、特殊の機械的構造と磁力を用いて防犯の確実性を図る磁力機構を有する防犯用錠前構造に関する。
【背景技術】
【０００２】
近年、ピッキングの被害が急増し、この防犯のために各種の錠前機構が開示されている。本考案と同一出願人も本考案の機構的に似ている発明を「特許文献１」として出願し、登録されている。
【特許文献１】実用新案登録３７６５１００号（図１）
【０００３】
「特許文献１」の実用新案登録第３７６５１００号の「防犯用錠前構造」は特殊な機械的構造を有するものであり、先雄鍵刃部や基雄鍵刃部を有する鍵を第１シリンダ部や第２シリンダ部に形成される係止機構部や雌鍵刃部に係着又は噛合させるものである。以下の説明では係止機構部を有するものについて説明する。その概要構造は図６に示されている。
【０００４】
防犯用錠前構造としては住宅等のドアに用いられるものや自動車等に適用されるものがあり、その把持部としてはノブ状のものや図７に示すハンドル状の把持部２ａ，４ａを有するもの等があるが、以下は図６に示すものについて説明する。
防犯用錠前構造１は大別して取付対象部の１つであるドア６の内側に配設される内側把持部の１つである内側ノブ部２と、ドア６の内部に配設される錠前本体部３と、ドア６の外側に配設される外側把持部の１つである外側ノブ部４と、これ等に係合して施錠動作を行うための鍵５等とからなる。
【０００５】
錠前本体部３は公知技術のものからなり、その図略の出入ロック機構部は、ドア６とその取付枠との間に係合してドア６と取付枠とのロックを可能にする構造部を有するものからなるがこの詳細構造の説明は省略する。また、内側ノブ部２も公知のものであり、錠前本体部３に連結され前記出入ロック機構部を動作する内ノブ７等を有するものからなる。
【０００６】
本考案の防犯用錠前構造１の主構成部である外側ノブ部４は錠前本体部３の前記出入ロック機構部に係合する第１シリンダ部８と、これに隣接する第２シリンダ部９と、第２シリンダ部９を保持すると共に第１シリンダ部８に連結される外ノブ１０等とからなる。また、第１シリンダ部８と第２シリンダ部９との間にはシャッタ２０が設けられている。
【０００７】
一方、鍵５はその先端側に先雄鍵刃部１１を形成すると共にこれに隣接する基端側に基雄鍵刃部１２を形成すると共に拡寸された把持部１３を形成するものからなる。なお、図示のように先雄鍵刃部１１と基雄鍵刃部１２は同一形成の鍵刃を形成するものからなる。
【考案の開示】
【考案が解決しようとする課題】
【０００８】
次に、図１により、本考案に係る第１シリンダ部８と第２シリンダ部９の係止機構部１４，１５の概要構造とシャッタ２０の構造を説明する。
【０００９】
係止機構部１４，１５は、鍵１５の先雄鍵刃部１１や基雄鍵刃部１２に係止する係止部１６，１７と、これを弾性支持するスプリング１８，１９等とからなる。なお、前記のように第２シリンダ部１２の鍵孔と第１シリンダ部１１の鍵孔とは角度θだけ離れて形成される。図２は角度θだけ回動した時の鍵孔２１を示す。
【００１０】
シャッタ２０は図１及び図２に示すように第１シリンダ部８と第２シリンダ部９との間に回動可能に垂下支持されるもので、シャッタ本体２２とこの上端を支持するピン２３とからなり、ピン２３は第１シリンダ部８側に固定される。
【００１１】
シャッタ２０は図２に示すように、第１シリンダ部８の鍵孔２１をほぼ覆った状態で垂下支持されている。このため、シャッタ２０を回動して鍵孔２１をオープンにしなければ鍵５を角度θだけ回動しても鍵５を第１シリンダ部８内に入れることができない。よって、鍵５を第１シリンダ部８側に入れるにはシャッタ２０を回動する手段が必要となり、本発明では磁力発生部２４がそれに当る。
【００１２】
鍵５を角度θだけ回しても鍵５が第１シリンダ部に入らないようにするには通常の状態では鍵５を角度θだけ回動してもシャッタ本体２２が回動しないことが必要である。そこで本発明では図２に示すように磁力部２５を設けることが必要になる。また、この場合、シャッタ本体２２は磁性材から形成される。磁力部２５を図示のＡ位置に配置することによりシャッタ本体２２は磁力部２５により吸引され、図２の点線に示す状態となり、鍵孔２１が開放される。これにより鍵５は第１シリンダ部８側に挿入でき、ドア６の開閉が行われる。
【００１３】
本発明は、以上の事情に鑑みて発明したものであり、角度θだけ回しても開錠ができず、更に防犯効果を高めた磁力機構を有する防犯用錠前構造を提供することを目的とする。
【課題を解決するための手段】
【００１４】
本発明は、以上の目的を達成するために、鍵を用いて開閉され防犯用の磁力的機構を備える防犯用錠前構造であって、該構造は、取付対象部の内部に設けられる内側把持部と、前記取付対象部内に配設され出入ロック機構部を有する錠前本体部と、前記取付対象部の外側に設けられる外側把持部とからなり、該外側把持部には前記出入ロック機構部を作動するため第１シリンダ部と該第１シリンダ部と独立して作動される単一又は複数の第２シリンダ部とが収納され、前記第１シリンダ部及び第２シリンダ部には鍵に刻設される先雄鍵刃部及び基雄鍵刃部が係止又は噛合する係止機構部又は雌鍵刃部が角度θだけ相異する位置に形成され、前記第１シリンダ部の前面には該第１シリンダ部の前記係止機構部又は雌鍵刃部をほぼ閉止するシャッタが設けられ、該シャッタの近傍には手動又は自動操作によって磁場を発生する磁力発生部が形成されることを特徴とする。
【考案の効果】
【００１５】
本考案の請求項１の磁力機構を有する防犯用錠前構造によれば、第２シリンダ部とこれと角度θを介して配設される第１シリンダ部により通常のピッキング被害を防止することができ、更にシャッタを配置してこのシャッタを回動しなければ鍵が第１シリンダ部側に挿入できないことになり、防犯効果の一層の向上が図れる。
【考案を実施するための最良の形態】
【００１６】
以下、本考案の磁力機構を有する防犯用錠前構造の実施の形態を図面を参照して説明する。なお、錠前構造の内、第１シリンダ部８と第２シリンダ部９等の構造は前記したものからなり、本考案の特徴は磁力発生部２４の構造にある。以下、この磁力発生部２４の構造を実施例により詳述する。
【実施例１】
【００１７】
この実施例では磁力発生部２４としては図３に示すように第２シリンダ部９に図の水平方向に沿って移動するロッド状磁力体２６からなる。このロッド状磁力体２６には磁力部２５が形成されており、ロッド状磁力体２６を第１シリンダ部８側にスプリングの力に抵抗して押しこまないとシャッタ本体２２の近傍に磁力部２５を配置することができない。よって鍵５を角度θだけ回動した後、ロッド状磁力体２６を手動等により押圧することにより磁力部２５をシャッタ本体２２と近接する位置（図２のＡ位置）に配置することができる。これにより、図２の点線で示すようにシャッタ本体２２が磁力部２５により吸引され鍵孔２１が開放され、第１シリンダ部８の作動ができドア６の開放が行われる。
【実施例２】
【００１８】
図２は磁力発生部２４の別の実施例を示すものである。この場合、第１シリンダ部８の図２のＡ位置に相当する所に電磁石２７を設けると共に鍵５側に電波発信部２８を設けたものである。鍵５を角度θだけ回動した後、電波発信部２８から電波を発信させることにより電磁石２７が磁力体となり、前記の実施例と同様にシャッタ本体２２を回動させることができる。
【００１９】
図５は本考案のシャッタ構造を有している防犯用錠前構造１におけるピッキング防止を説明するための模式図である。ピッキング犯は針やワイヤ２９を用いて開錠をしようとするが、例えば角度θだけ第２シリンダ部９を回動したとしてもシャッタ２０があるため第１シリンダ部８側に針やワイヤ２９を挿入することができず、開錠は不可能となる。
【００２０】
以上の実施例において各構成要素の説明をしたが、本考案の防犯用錠前構造は以上のものに限定するものではなく、同一技術的範疇のものが適用されることは勿論である。
【産業上の利用可能性】
【００２１】
本考案は、ドアにおけるピッキング防止のための錠前構造について説明したが、取付対象部はドアに限定するものではなく、その利用範囲は広い。
【図面の簡単な説明】
【００２２】
【図１】本考案の防犯用錠前構造を示す断面図。
【図２】図１のシャッタ回りの概要構造を示すＡ−Ａ断面図。
【図３】本考案における手動によるシャッタ及び磁力発生部の概要構造を示す模式図。
【図４】本考案における自動によるシャッタ及び磁力発生部の概要構造を示す模式図。
【図５】本考案におけるピッキング防止を説明する模式図。
【図６】本考案に係る防犯用錠前構造の主要部の構造を除く構成部を説明するための側面図。
【図７】本考案に係る防犯用錠前構造の主要部の構造を除く構成部を説明する側面図。
【符号の説明】
【００２３】
１    防犯用錠前構造
２    内側ノブ部
２ａ  把持部
３    錠前本体部
４    外側ノブ部
４ａ  把持部
５    鍵
６    ドア
７    内ノブ
８    第１シリンダ部
９    第２シリンダ部
１０  外ノブ
１１  先雄鍵刃部
１２  基雄鍵刃部
１３  把持部
１４  係止機構部
１５  係止機構部
１６  係止部
１７  係止部
１８  スプリング
１９  スプリング
２０  シャッタ
２１  鍵孔
２２  シャッタ本体
２３  ピン
２４  磁力発生部
２５  磁力部
２６  ロッド状磁力体
２７  電磁石
２８  電波発信部
２９  針やワイヤ
【図１】
0003125780.tif 000003
【図２】
0003125780.tif 000004
【図３】
0003125780.tif 000005
【図４】
0003125780.tif 000006
【図５】
0003125780.tif 000007
【図６】
0003125780.tif 000008
【図７】
0003125780.tif 000009